(57)【要約】      （修正有）【課題】布を１回目に折り畳み、さらに再度折り畳むことができる端始末器を提供する。【解決手段】端始末器本体１０は一体成形で、外カバー１１、内カバー１２及び連接部１３を有する。外カバー１１は第一壁１１１、第一壁１１１の相対位置にある第二壁１１２、及び第一壁１１１と第二壁１１２の両側辺縁間にそれぞれ連接する２個の第三壁１１３を有する。内カバー１２は外カバー１１の内部に設置され、内カバー１２と外カバー１１との間には穿孔１４を有する。穿孔１４の一端は高端１４１で、反対端は低端１４２で、穿孔１４の高度は高端１４１から低端１４２へと徐々に縮小する。連接部１３は外カバー１１の第一壁１１１と内カバー１２との間に連接し、しかも連接部１３の幅は高端１４１から低端１４２へと徐々に縮小する。第一壁１１１上には第一壁挿入孔１１５を有し、第二壁１１２上には穿孔１４へと連通する第二壁挿入孔、及び穿孔１４へと連通する２個の導引孔を有する。【選択図】図２
0003206071.tif 000002
【実用新案登録請求の範囲】
【請求項１】
端始末器であって、前記端始末器本体は、一体成形で、外カバー、内カバー及び連接部を有し、
前記外カバーは、第一壁、前記第一壁の相対位置にある第二壁、及び前記第一壁と前記第二壁の両側辺縁間にそれぞれ連接する２個の第三壁を有し、
前記内カバーは、前記外カバーの内部に設置し、前記内カバーと前記外カバーとの間には、穿孔を有し、
前記穿孔の一端は、高端で、反対端は、低端で、前記穿孔の高度は、前記高端から前記低端へと徐々に縮小し、
前記連接部は、前記外カバーの第一壁と前記内カバーとの間に連接し、しかも前記連接部の幅は、前記高端から前記低端へと徐々に縮小し、
前記第一壁上には、第一壁挿入孔を有し、前記第二壁上には、前記穿孔へと連通する第二壁挿入孔、及び前記穿孔へと連通する２個の導引孔を有し、
前記制限片は、片体、及び前記片体外側上に連接して突出する挿入ブロックを設置し、前記挿入ブロックは、前記端始末器本体の第一壁挿入孔或いは前記第二壁挿入孔中に選択的に挿入して設置され、
前記片体上には、２個の穿導孔を有することを特徴とする端始末器。
【請求項２】
前記端始末器本体の第三壁外側面上には、滑り止め部を有することを特徴とする請求項１に記載の端始末器。
【請求項３】
前記滑り止め部は、ラフ面であることを特徴とする請求項１に記載の端始末器。
【請求項４】
前記制限片の挿入ブロックを、前記端始末器本体の第二壁挿入孔中に設置すると、前記制限片上の穿導孔は、前記端始末器本体の導引孔と連通することを特徴とする請求項１に記載の端始末器。
【請求項５】
前記制限片の片体上には、双方向矢印符号を設置することを特徴とする請求項１に記載の端始末器。
【請求項６】
前記制限片は、前記片体の、前記挿入ブロックの片側面上に、第一提示符号を設置し、
前記制限片は、前記片体の、前記挿入ブロックと反対の片側面上に、第二提示符号を設置することを特徴とする請求項１に記載の端始末器。
【請求項７】
前記第一提示符号は、１”で、前記第二提示符号は、２”であることを特徴とする請求項１に記載の端始末器。
【請求項８】
前記第二提示符号は、前記第一提示符号の二倍であることを特徴とする請求項１に記載の端始末器。
【考案の詳細な説明】
【技術分野】
【０００１】
本考案は端始末の器具に関し、特に端始末器に関する。
【背景技術】
【０００２】
現在見られる端始末器は、特許文献１、特許文献２に示す通り、布を挿入して折り畳む。
【０００３】
しかし、実際に布の端の折り畳みを行う時には、先ず布の両側辺を内側へ曲げ一回目の折り畳みを行った後、二回目の折り畳みを行わなければ、使用することはできない。
【０００４】
けれども、上述の従来の端始末器は、一回目の端折り畳みしか行えない。
そのため、人手により再度折り畳む必要があり、使用が不便という問題がある。
【先行技術文献】
【特許文献】
【０００５】
【特許文献１】米国特許第ＵＳ５５５４０９５号明細書
【特許文献２】米国特許第ＵＳ６６４１５１６号明細書
【考案の概要】
【考案が解決しようとする課題】
【０００６】
前記先行技術には、一回目の端折り畳みしか行えないため、人手により再度折り畳む必要があるという欠点がある。
【課題を解決するための手段】
【０００７】
本考案は、一回目の端折り畳みしかできないため、人手により再度折り畳む必要があり、使用において不便であるという従来の端始末器の欠点を改善できる端始末器に関する。
【０００８】
本考案による端始末器は、端始末器本体及び制限片を有する。
該端始末器本体は、一体成形で、外カバー、内カバー及び連接部を有する。
該外カバーは、第一壁、該第一壁の相対位置にある第二壁、及び該第一壁と該第二壁の両側辺縁間にそれぞれ連接する２個の第三壁を有する。
該内カバーは、該外カバーの内部に設置し、該内カバーと該外カバーとの間には、穿孔を有する。
該穿孔の一端は高端で、反対端は低端で、該穿孔の高度は、該高端から低端へと徐々に縮小する。
該連接部は、該外カバーの第一壁と該内カバーとの間に連接し、しかも該連接部の幅は、該高端から該低端へと徐々に縮小する。
該第一壁上には、第一壁挿入孔を有する。
該第二壁上には、該穿孔へと連通する第二壁挿入孔、及び該穿孔へと連通する２個の導引孔を有する。
該制限片は、片体、及び該片体外側上に連接して突出する挿入ブロックを有する。
該挿入ブロックは、該端始末器本体の第一壁挿入孔或いは該第二壁挿入孔中に選択的に挿入して設置される。
該片体上には、２個の穿導孔を有し、一回目と二回目の端折り畳み作業を行い、使用上の利便性を高めることができる。
【０００９】
本考案の端始末器は、一回目の端折り畳みしかできないため、人手により再度折り畳む必要があり、使用において不便であるという従来の端始末器の欠点を改善することができる。
【図面の簡単な説明】
【００１０】
【図１】本考案一実施形態の立体組合せ図である。
【図２】図１に示す実施形態においての立体分解図である。
【図３】図１に示す実施形態においての別の視角からの立体分解図である。
【図４】図１に示す実施形態においての断面図である。
【図５】図４の５−５線に沿ってカットした断面図である。
【図６】図４の６−６線に沿ってカットした断面図である。
【図７】図１に示す実施形態において進行一回目端折り畳みの使用状態立体図である。
【図８】図１に示す実施形態において進行一回目端折り畳みの使用状態断面図である。
【図９】図１に示す実施形態において進行再度端折り畳みの使用状態立体図である。
【図１０】図１に示す実施形態において進行再度端折り畳みの使用状態断面図である。
【図１１】本考案もう一つの実施態樣の立体組合せ図である。
【考案を実施するための形態】
【００１１】
（一実施形態）
図１〜図１０に示す通り、本考案一実施形態による端始末器１００は、端始末器本体１０及び制限片２０を有する。
【００１２】
図１〜図６に示す通り、端始末器本体１０は、一体成形で、外カバー１１、内カバー１２及び連接部１３を有する。
【００１３】
外カバー１１は、第一壁１１１、第一壁１１１の相対位置にある第二壁１１２、及び第一壁１１１と第二壁１１２の両側辺縁間にそれぞれ連接する２個の第三壁１１３を有する。
【００１４】
内カバー１２は、外カバー１１の内部に設置し、外カバー１１と予定の間隙を隔てる。
間隙は穿孔１４に形成され、穿孔１４は、外カバー１１と内カバー１２との間に位置する。
穿孔１４の一端は、高端１４１で、反対端は、低端１４２である。
すなわち、穿孔１４の高度は、高端１４１から低端１４２へと徐々に縮小する。
【００１５】
連接部１３は、外カバー１１の第一壁１１１と内カバー１２との間に連接し、しかも連接部１３の幅は、高端１４１から低端１４２へと徐々に縮小する。
第一壁１１１上には、第一壁挿入孔１１５を有する。
第二壁１１２上には、穿孔１４へと連通する第二壁挿入孔１１６、及び穿孔１４へと連通する２個の導引孔１１７を有する。
第三壁１１３の外側面上には、滑り止め部１１８を有する。
滑り止め部１１８は、ラフ面である。
【００１６】
図１〜図３に示す通り、制限片２０は、片体２１及び挿入ブロック２２を有する。
挿入ブロック２２は、片体２１の外側上に連接して突出し、挿入ブロック２２により端始末器本体１０の第一壁挿入孔１１５或いは第二壁挿入孔１１６中に、選択的に挿入して設置される。
片体２１上には、２個の穿導孔２１１を有する。
【００１７】
次に、本考案一実施形態による端始末器１００の使用における特徴について以下に説明する。
【００１８】
先ず、布９０の両側辺を内側へと折り畳む際には、布９０を、端始末器本体１０の穿孔１４高端１４１から、穿孔１４の低端１４２方向へと挿入して移動させる（図７及び図８参照）。
穿孔１４の高端１４１から低端１４２へと、高さが徐々に縮小する特性、及び連接部１３の高端１４１から低端１４２へと、幅が徐々に縮小する特性により、布９０が低端１４２へと通り抜けた後、その両側辺は穿孔１４の造型変化の制限を受け、内側へと折り畳まれる（図７参照）。
こうして、一回目の布９０の両側辺を２インチ内側へと折り畳む目的を達成する。
【００１９】
次に、制限片２０の挿入ブロック２２を、端始末器本体１０の第二壁挿入孔１１６中に挿入し、一回目の折り畳みがすでに完成した布９０を、再度端始末器本体１０の穿孔１４の高端１４１から穿孔１４の低端１４２方向へと挿入して移動させる（図９及び図１０参照）。
穿孔１４の高端１４１から低端１４２へと高さが徐々に縮小する特性により、及び挿入ブロック２２が、第二壁１１５と内カバー１１との間の穿孔１４中において遮ることで、布９０は、低端１４２へと通り抜けた後、その両側辺は、穿孔１４の造型変化の制限を受け、内側へと再度折り畳まれる（図９参照）。
こうして、布９０を１インチ折り畳む目的を達成する。
これにより、本考案は、非常にスムーズに、布を一回目に折り畳み、さらに再度折り畳むことができ、二回折り畳んだ後の布を便利に使用することができる。
【００２０】
さらに、制限片２０の挿入ブロック２２を、端始末器本体１０の第二壁挿入孔１１６中に設置することで、制限片２０上の穿導孔２１１は、端始末器本体１０の導引孔１１７と連通（図９参照）する。
こうして、操作者は、細長い物（図示なし）を穿導孔２１１と導引孔１１７に通し、穿孔１４中に位置する布９０を動かし、布９０が、穿孔１４の高端１４１から穿孔１４の低端１４２方向へと移動するスムーズ性を維持することができる。
【００２１】
また、本実施形態中の制限片２０は、両側とも使用できるため、使用者の左、右手の使用習慣に合わせることができる。
図１１に示す通り、片体２１上には、双方向矢印符号２１２を設置し、方向性を提示できる。
【００２２】
さらに、図１〜図３に示す通り、本実施形態中の制限片２０は、片体２１において、挿入ブロック２２の片側面上に、第一提示符号２１３の１”提示符号を設置し、１インチの折り畳み機能を提供できる。
また、制限片２０は、片体２１の挿入ブロック２２と反対の片側面上に、第二提示符号２１４の２”提示符号を設置し、両側辺を２インチ内側へと折り畳む機能を提供できる。
すなわち、第二提示符号２１４は、第一提示符号２１３の二倍である。
【００２３】
前述した本考案の実施形態は本考案を限定するものではなく、よって、本考案により保護される範囲は後述される実用新案登録請求の範囲を基準とする。
【符号の説明】
【００２４】
１００  端始末器、
１０  端始末器本体、
１１  外カバー、
１２  内カバー、
１３  連接部、
１４  穿孔、
１４１  高端、
１４２  低端、
１１１  第一壁、
１１２  第二壁、
１１３  第三壁、
１１５  第一壁挿入孔、
１１６  第二壁挿入孔、
１１７  導引孔、
１１８  滑り止め部、
２０  制限片、
２１  片体、
２２  挿入ブロック、
２１１  穿導孔、
２１２  双方向矢印符号、
２１３  第一提示符号、
２１４  第二提示符号、
９０  布。
【図１】
0003206071.tif 000003
【図２】
0003206071.tif 000004
【図３】
0003206071.tif 000005
【図４】
0003206071.tif 000006
【図５】
0003206071.tif 000007
【図６】
0003206071.tif 000008
【図７】
0003206071.tif 000009
【図８】
0003206071.tif 000010
【図９】
0003206071.tif 000011
【図１０】
0003206071.tif 000012
【図１１】
0003206071.tif 000013
【手続補正書】
【提出日】平成28年7月4日(2016.7.4)
【手続補正１】
【補正対象書類名】実用新案登録請求の範囲
【補正対象項目名】全文
【補正方法】変更
【補正の内容】
【実用新案登録請求の範囲】
【請求項１】
端始末器本体及び制限片を有する端始末器であって、前記端始末器本体は、一体成形で、外カバー、内カバー及び連接部を有し、
前記外カバーは、第一壁、前記第一壁の相対位置にある第二壁、及び前記第一壁と前記第二壁の両側辺縁間にそれぞれ連接する２個の第三壁を有し、
前記内カバーは、前記外カバーの内部に設置し、前記内カバーと前記外カバーとの間には、穿孔を有し、
前記穿孔の一端は、高端で、反対端は、低端で、前記穿孔の高度は、前記高端から前記低端へと徐々に縮小し、
前記連接部は、前記外カバーの第一壁と前記内カバーとの間に連接し、しかも前記連接部の幅は、前記高端から前記低端へと徐々に縮小し、
前記第一壁上には、第一壁挿入孔を有し、前記第二壁上には、前記穿孔へと連通する第二壁挿入孔、及び前記穿孔へと連通する２個の導引孔を有し、
前記制限片は、片体、及び前記片体外側上に連接して突出する挿入ブロックを設置し、前記挿入ブロックは、前記端始末器本体の第一壁挿入孔或いは前記第二壁挿入孔中に選択的に挿入して設置され、
前記片体上には、２個の穿導孔を有することを特徴とする端始末器。
【請求項２】
前記端始末器本体の第三壁外側面上には、滑り止め部を有することを特徴とする請求項１に記載の端始末器。
【請求項３】
前記滑り止め部は、ラフ面であることを特徴とする請求項２に記載の端始末器。
【請求項４】
前記制限片の挿入ブロックを、前記端始末器本体の第二壁挿入孔中に設置すると、前記制限片上の穿導孔は、前記端始末器本体の導引孔と連通することを特徴とする請求項１に記載の端始末器。
【請求項５】
前記制限片の片体上には、双方向矢印符号を設置することを特徴とする請求項１に記載の端始末器。
【請求項６】
前記制限片は、前記片体の、前記挿入ブロックの片側面上に、第一提示符号を設置し、
前記制限片は、前記片体の、前記挿入ブロックと反対の片側面上に、第二提示符号を設置することを特徴とする請求項１に記載の端始末器。
【請求項７】
前記第一提示符号は、１”で、前記第二提示符号は、２”であることを特徴とする請求項６に記載の端始末器。
【請求項８】
前記第二提示符号は、前記第一提示符号の二倍であることを特徴とする請求項６又は７に記載の端始末器。